(57)【特許請求の範囲】
【請求項１】
第１の表示部と、
第２の表示部と、
前記第１の表示部および前記第２の表示部の表示を制御する表示制御部と、
前記第１の表示部に対する入力を検出する第１の検出部と、
前記第２の表示部に対する入力を検出する第２の検出部と、
プログラムを記憶する記憶部と、
前記第１の検出部および前記第２の検出部により検出された前記入力に応じて前記記憶部により記憶された前記プログラムを実行する実行部とを備え、
前記記憶部に記憶されたプログラムのうち、実行中に新たに実行できないプログラムが前記第１の表示部を出力先として前記実行部により実行されているとき、当該プログラムを新たに実行する入力が前記第２の検出部により検出されると、前記実行部は、前記第１の表示部を出力先とする当該プログラムの実行を終了して、前記第２の表示部を出力先として当該プログラムを実行し、前記表示制御部は、新たに実行された当該プログラムに基づく画面を前記第２の表示部に表示させる、
ことを特徴とする携帯端末装置。
【請求項２】
請求項１に記載の携帯端末装置において、
前記表示制御部は、前記第１の表示部においてプログラムを実行する入力がなされると、前記第１の表示部と前記第２の表示部のどちらを当該プログラムに基づく画面の出力先にするか選択する入力を受け付けるための画像を表示させる、
ことを特徴とする携帯端末装置。
【請求項３】
請求項１または２に記載の携帯端末装置において、
前記表示制御部は、前記実行中に新たに実行できない第１プログラムに基づく第１画面を前記第１の表示部に表示し、前記第１プログラムとは別の第２プログラムに基づく第２画面を前記第２の表示部に表示しているとき、前記第１プログラムを新たに実行する入力が前記第２の検出部により検出されると、前記第１画面を前記第２の表示部に表示させ、前記第２画面を前記第１の表示部に表示させる、
ことを特徴とする携帯端末装置。
【請求項４】
請求項１または２に記載の携帯端末装置において、
前記表示制御部は、前記実行中に新たに実行できない第１プログラムに基づく第１画面を前記第１の表示部に表示し、前記第１プログラムとは別の第２プログラムに基づく第２画面を前記第２の表示部に表示しているとき、前記第１プログラムを新たに実行する入力が前記第２の検出部により検出されると、前記第１画面を前記第１の表示部および前記第２の表示部に表示させる、
ことを特徴とする携帯端末装置。
【請求項５】
請求項１または２に記載の携帯端末装置において、
前記表示制御部は、前記実行中に新たに実行できない第１プログラムに基づく第１画面を前記第１の表示部に表示し、前記第１プログラムとは異なる第２プログラムに基づく第２画面を前記第２の表示部に表示し、前記第１プログラムとは異なる第３プログラムに基づく第３画面の出力先を前記第１の表示部とするとき、前記第１プログラムを新たに実行する入力が前記第２の検出部により検出されると、前記第１画面を前記第２の表示部に表示させ、前記第３画面を前記第１の表示部に表示させる、
ことを特徴とする携帯端末装置。
【請求項６】
第１の表示部と、第２の表示部と、前記第１の表示部に対する入力を検出する第１の検出部と、前記第２の表示部に対する入力を検出する第２の検出部と、プログラムを記憶する記憶部とを備える携帯端末装置の制御方法であって、
前記第１の検出部および前記第２の検出部により検出された前記入力に応じて前記記憶部により記憶された前記プログラムを実行するステップと、
前記記憶部に記憶されたプログラムのうち、実行中に新たに実行できないプログラムが前記第１の表示部を出力先として前記実行部により実行されているとき、当該プログラムを新たに実行する入力が前記第２の検出部により検出されると、前記第１の表示部を出力先とする当該プログラムの実行を終了して、前記第２の表示部を出力先として当該プログラムを実行するステップと、
新たに実行された当該プログラムに基づく画面を前記第２の表示部に表示させるステップと、を含む制御方法。
【請求項７】
第１の表示部と、第２の表示部と、前記第１の表示部に対する入力を検出する第１の検出部と、前記第２の表示部に対する入力を検出する第２の検出部と、プログラムを記憶する記憶部とを備える携帯端末装置のコンピュータに、
前記第１の検出部および前記第２の検出部により検出された前記入力に応じて前記記憶部により記憶された前記プログラムを実行する機能と、
前記記憶部に記憶されたプログラムのうち、実行中に新たに実行できないプログラムが前記第１の表示部を出力先として前記実行部により実行されているとき、当該プログラムを新たに実行する入力が前記第２の検出部により検出されると、前記第１の表示部を出力先とする当該プログラムの実行を終了して、前記第２の表示部を出力先として当該プログラムを実行する機能と、
新たに実行された当該プログラムに基づく画面を前記第２の表示部に表示させる機能と、を付与するプログラム。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、２つの表示面を有する携帯端末装置が知られている。このような携帯端末装置には、アプリケーションプログラム（以下、「アプリケーション」と言う。）を実行し、当該アプリケーションに基づく画面を第１および第２表示面のそれぞれに表示する機能が設けられている（たとえば、特許文献１参照）。
【０００３】
この種の携帯端末装置において、一つのアプリケーションについて複数の処理が並行して実行されると、これらの処理が競合して、不整合が発生する場合がある。このため、このようなアプリケーションが既に実行されている場合には、当該アプリケーションをさらに起動すること（以下、「多重起動」と言う。）は禁止される。
【先行技術文献】
【特許文献】
【０００４】
【特許文献１】特開平９−３０５２６２号公報
【発明の概要】
【発明が解決しようとする課題】
【０００５】
上記構成において、ユーザは、多重起動が禁止されているアプリケーションの画面が第１表示面に表示されている際に、この画面を第２表示面に表示させて、第２表示面に対して操作を行いたい場合がある。この場合、ユーザは、既に実行しているアプリケーションを一旦終了した上で、第２表示面に画面を表示するように、そのアプリケーションを再度起動する必要があり、手間がかかってしまう。
【０００６】
本発明は、かかる課題に鑑みてなされたものであり、複数の表示面のうち、ユーザが意図する表示面において所定の機能を容易に操作可能とする携帯端末装置を提供することを目的とする。
【課題を解決するための手段】
【０００７】
本発明の携帯端末装置は、第１の表示部と、第２の表示部と、前記第１の表示部および前記第２の表示部の表示を制御する表示制御部と、前記第１の表示部に対する入力を検出
する第１の検出部と、前記第２の表示部に対する入力を検出する第２の検出部と、プログラムを記憶する記憶部と、前記第１の検出部および前記第２の検出部により検出された前記入力に応じて前記記憶部により記憶された前記プログラムを実行する実行部とを備える。ここで、前記記憶部に記憶されたプログラムのうち、実行中に新たに実行できないプログラムが前記第１の表示部を出力先として前記実行部により実行されているとき、当該プログラムを新たに実行する入力が前記第２の検出部により検出されると、前記実行部は、前記第１の表示部を出力先とする当該プログラムの実行を終了して、前記第２の表示部を出力先として当該プログラムを実行し、前記表示制御部は、新たに実行された当該プログラムに基づく画面を前記第２の表示部に表示させる。
【０００８】
本態様に係る携帯端末装置において、前記表示制御部は、前記第１の表示部においてプログラムを実行する入力がなされると、前記第１の表示部と前記第２の表示部のどちらを当該プログラムに基づく画面の出力先にするか選択する入力を受け付けるための画像を表示させるよう構成され得る。
【０００９】
本態様に係る携帯端末装置において、前記表示制御部は、前記実行中に新たに実行できない第１プログラムに基づく第１画面を前記第１の表示部に表示し、前記第１プログラムとは別の第２プログラムに基づく第２画面を前記第２の表示部に表示しているとき、前記第１プログラムを新たに実行する入力が前記第２の検出部により検出されると、前記第１画面を前記第２の表示部に表示させ、前記第２画面を前記第１の表示部に表示させるよう構成され得る。
【００１０】
本態様に係る携帯端末装置において、前記表示制御部は、前記実行中に新たに実行できない第１プログラムに基づく第１画面を前記第１の表示部に表示し、前記第１プログラムとは別の第２プログラムに基づく第２画面を前記第２の表示部に表示しているとき、前記第１プログラムを新たに実行する入力が前記第２の検出部により検出されると、前記第１画面を前記第１の表示部および前記第２の表示部に表示させるよう構成され得る。
【００１１】
本態様に係る携帯端末装置において、前記表示制御部は、前記実行中に新たに実行できない第１プログラムに基づく第１画面を前記第１の表示部に表示し、前記第１プログラム
とは異なる第２プログラムに基づく第２画面を前記第２の表示部に表示し、前記第１プログラムとは異なる第３プログラムに基づく第３画面の出力先を前記第１の表示部とするとき、前記第１プログラムを新たに実行する入力が前記第２の検出部により検出されると、前記第１画面を前記第２の表示部に表示させ、前記第３画面を前記第１の表示部に表示させるよう構成され得る。
【００１２】
本発明は、第１の表示部と、第２の表示部と、前記第１の表示部に対する入力を検出する第１の検出部と、前記第２の表示部に対する入力を検出する第２の検出部と、プログラムを記憶する記憶部とを備える携帯端末装置の制御方法に関する。本発明の制御方法は、前記第１の検出部および前記第２の検出部により検出された前記入力に応じて前記記憶部により記憶された前記プログラムを実行するステップと、前記記憶部に記憶されたプログラムのうち、実行中に新たに実行できないプログラムが前記第１の表示部を出力先として前記実行部により実行されているとき、当該プログラムを新たに実行する入力が前記第２の検出部により検出されると、前記第１の表示部を出力先とする当該プログラムの実行を終了して、前記第２の表示部を出力先として当該プログラムを実行するステップと、新たに実行された当該プログラムに基づく画面を前記第２の表示部に表示させるステップと、を含む。
【００１３】
本発明のプログラムは、第１の表示部と、第２の表示部と、前記第１の表示部に対する入力を検出する第１の検出部と、前記第２の表示部に対する入力を検出する第２の検出部と、プログラムを記憶する記憶部とを備える携帯端末装置のコンピュータに、前記第１の検出部および前記第２の検出部により検出された前記入力に応じて前記記憶部により記憶された前記プログラムを実行する機能と、前記記憶部に記憶されたプログラムのうち、実行中に新たに実行できないプログラムが前記第１の表示部を出力先として前記実行部により実行されているとき、当該プログラムを新たに実行する入力が前記第２の検出部により検出されると、前記第１の表示部を出力先とする当該プログラムの実行を終了して、前記第２の表示部を出力先として当該プログラムを実行する機能と、新たに実行された当該プログラムに基づく画面を前記第２の表示部に表示させる機能と、を付与する。
【発明の効果】
【００１４】
本発明によれば、複数の表示面のうち、ユーザが意図する表示面において所定の機能を容易に操作可能とする携帯端末装置を提供することができる。
【００１５】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１６】
【図１】実施の形態に係る携帯電話機の外観構成を示す図である。
【図２】実施の形態に係る携帯電話機の状態の切り替えを説明するための図である。
【図３】実施の形態に係る携帯電話機の全体構成を示すブロック図である。
【図４】実施の形態に係るメールの作成画面およびサムネイル画像の一覧画面を各表示面に表示した図である。
【図５】実施の形態に係る各表示面に表示する画面を制御する処理手順を示すフローチャートである。
【図６】実施の形態に係るメールの作成画面、サムネイル画像の一覧画面およびウェブページ画面を各表示面に表示した図である。
【図７】実施の形態に係る各表示面に表示する画面を制御する処理手順を示すフローチャートである。
【図８】実施の形態に係るメールの作成画面、サムネイル画像の一覧画面およびウェブページ画面を各表示面に表示した図である。
【図９】実施の形態に係る各表示面に表示する画面を制御する処理手順を示すフローチャートである。
【図１０】実施の形態に係るメールの作成画面を両表示面に表示した図である。
【発明を実施するための形態】
【００１７】
以下、本発明の実施の形態について、図面を参照して説明する。
【００１８】
＜携帯電話機の構成＞
図１は、携帯電話機１の構成を示す分解斜視図である。携帯電話機１は、第１キャビネット１０と、第２キャビネット２０と、これら第１、第２キャビネット１０、２０を保持する保持体３０とで構成されている。
【００１９】
第１キャビネット１０は、横長の直方体形状を有する。第１キャビネット１０の正面には、第１タッチパネルが配されている。第１タッチパネルは、第１ディスプレイ１１および第１タッチセンサ１２を含む。
【００２０】
第１ディスプレイ１１は、表示部に相当し、第１表示面１１ａ１に画像を表示する。第１ディスプレイ１１は、第１液晶パネル１１ａおよび第１バックライト１１ｂで構成されている。第１液晶パネル１１ａの前面に第１表示面１１ａ１が設けられる。第１表示面１１ａ１上に第１タッチセンサ１２が重ねられている。第１バックライト１１ｂは、１つまたは複数の光源を含み、第１液晶パネル１１ａを照明する。
【００２１】
第１タッチセンサ１２は、第１ディスプレイ１１に対する入力を検出する検出部に相当する。第１タッチセンサ１２は、透明な長方形状のシートであり、第１ディスプレイ１１の第１表示面１１ａ１を覆う。第１タッチセンサ１２は、マトリクス状に配された第１透明電極と第２透明電極とを備えている。第１タッチセンサ１２は、これら透明電極間の静電容量の変化を検出することによって、ユーザが触れた第１表示面１１ａ１上の位置を検出し、その入力位置に応じた位置信号を出力する。なお、ユーザが第１表示面１１ａ１を触れるとは、たとえば、ユーザがペンなどの接触部材や指で第１表示面１１ａ１をタッチすることである。第１表示面１１ａ１にタッチした接触部材や指は静止してもよいし、移動してもよい。また、接触部材や指が第１表示面１１ａ１にタッチしている時間は短くても、長くてもよい。
【００２２】
第１キャビネット１０の内部には、中央やや後ろ位置にカメラモジュール１４が配されている。このカメラモジュール１４における被写体像を取り込むためのレンズ窓（図示せず）が、第１キャビネット１０の下面に設けられている。
【００２３】
また、第１キャビネット１０の内部には、前面近傍の中央位置に磁石１５が配されており、右前角部に磁石１６が配されている。
【００２４】
第１キャビネット１０の右側面および左側面には、突起部１７が設けられている。
【００２５】
第２キャビネット２０は、横長の直方体形状であって、第１キャビネット１０とほぼ同じ形状と大きさを有する。第２キャビネット２０には、第２タッチパネルが配されている。第２タッチパネルは、第２ディスプレイ２１および第２タッチセンサ２２を含む。
【００２６】
第２ディスプレイ２１は、表示部に相当し、第２表示面２１ａ１に画像を表示する。第２ディスプレイ２１は、第２液晶パネル２１ａおよび第２バックライト２１ｂで構成されている。第２液晶パネル２１ａの前面に第２表示面２１ａ１が設けられる。第２バックライト２１ｂは１つまたは複数の光源を含み、第２液晶パネル２１ａを照明する。なお、第１ディスプレイ１１および第２ディスプレイ２１は、有機ＥＬ等他の表示素子により構成されてもよい。
【００２７】
第２タッチセンサ２２は、第２ディスプレイ２１に対する入力を検出する検出部に相当する。第２タッチセンサ２２は、第１タッチセンサ１２と同様の形状および構成を有する。第２タッチセンサ２２は、第２ディスプレイ２１の第２表示面２１ａ１を覆い、ユーザが触れた第２表示面２１ａ１上の位置を検出し、その入力位置に応じた位置信号を出力する。
【００２８】
第２キャビネット２０の内部には、後面近傍の中央位置に磁石２４が配されている。
この磁石２４と第１キャビネット１０の磁石１５とは、後述する開状態で互いに引き合うよう配置されている。
【００２９】
第２キャビネット２０の内部において、右前角部には閉鎖センサ２５が配されている。閉鎖センサ２５は、たとえば、ホールＩＣなどで構成され、磁石１６の磁力を検出すると、センサ信号を出力する。後述する閉状態で、第１キャビネット１０の磁石１６が閉鎖センサ２５に接近するので、センサ信号が閉鎖センサ２５からＣＰＵ１００へ出力される。一方、開状態になると、第１キャビネット１０の磁石１６が閉鎖センサ２５から離れるので、閉鎖センサ２５からセンサ信号が出力されない。
【００３０】
第２キャビネット２０の両側面にはそれぞれ２つの軸部２７が設けられている。
【００３１】
保持体３０は、底板部３１と、底板部３１の右端部に形成された右保持部３２と、底板部３１の左端部に形成された左保持部３３とで構成されている。
【００３２】
底板部３１には、３つのコイルバネ３４が左右方向に並ぶように配されている。第２キャビネット２０が保持体３０に取り付けられた状態において、コイルバネ３４は、第２キャビネット２０の下面に当接し、第２キャビネット２０に対して上方に押し上げる力を付与する。
【００３３】
右保持部３２の上面にはマイク３５および電源キー３６が配されている。左保持部３３の上面には、スピーカ３８が配されている。また、右保持部３２の外側面には、複数のハードキー３７が配されている。
【００３４】
右保持部３２および左保持部３３の内側面には、案内溝３９（左保持部３３側のみ図示）が形成されている。案内溝３９は、上溝３９ａ、下溝３９ｂおよび２つの縦溝３９ｃとで構成されている。上溝３９ａおよび下溝３９ｂは前後方向に延び、縦溝３９ｃは、上溝３９ａと下溝３９ｂとを繋ぐように上下に延びる。
【００３５】
携帯電話機１を組み立てる際には、軸部２７が案内溝３９の下溝３９ｂに挿入され、第
２キャビネット２０が保持体３０の収容領域Ｒ内に配置される。突起部１７が案内溝３９の上溝３９ａに挿入され、第１キャビネット１０が第２キャビネット２０の上に配置され、第１キャビネット１０が保持体３０の収容領域Ｒ内に収まる。
【００３６】
こうして、底板部３１、右保持部３２および左保持部３３に囲まれた収容領域Ｒの中に、第１キャビネット１０および第２キャビネット２０が上下に重なった状態で収容される。この状態では、第１キャビネット１０は、上溝３９ａに案内されて前後にスライド可能である。第２キャビネット２０は、下溝３９ｂに案内されて前後にスライド可能である。また、第２キャビネット２０が前方に移動し、軸部２７が縦溝３９ｃまでくると、第２キャビネット２０は、縦溝３９ｃに案内されて上下にスライド可能となる。
【００３７】
図２（ａ）〜図２（ｄ）は、携帯電話機１を閉状態から開状態へ切り替えるための操作について説明するための図である。
【００３８】
図２（ａ）に示す閉状態では、第１キャビネット１０が第２キャビネット２０の上に重ねられて、携帯電話機１が畳まれる。閉状態は、第１キャビネット１０により第２表示面２１ａ１が覆われる第１形態に相当する。閉状態では、第１表示面１１ａ１のみが外部に露出する。
【００３９】
図２（ｂ）に示す矢印の方向に、第１キャビネット１０が後方に移動し、図２（ｃ）に示す矢印の方向に、第２キャビネット２０が前方へ引き出される。これにより、閉鎖センサ２５が磁石１６の磁力を検出せず、センサ信号を出力しなくなると、携帯電話機１は開状態に切り替えられる。この開状態では、第２表示面２１ａ１の一部が外部に現れる。
【００４０】
第２キャビネット２０が第１キャビネット１０に完全に重ならなくなると、図１に示す軸部２７が縦溝３９ｃにくる。これにより、軸部２７が縦溝３９ｃに沿って動き、第２キャビネット２０は上下に移動可能になる。このとき、コイルバネ３４の弾性力と、磁石１５および磁石２４の引力とにより、第２キャビネット２０は上昇する。
【００４１】
図２（ｄ）に示すように、第２キャビネット２０が第１キャビネット１０と密着して並び、第２表示面２１ａ１が第１表示面１１ａ１と同じ高さになる。これにより、第１キャビネット１０および第２キャビネット２０が広げられて、第１表示面１１ａ１と第２表示面２１ａ１の双方が外部に露出する。
【００４２】
なお、開状態は、図２（ｂ）〜図２（ｄ）に示すように、第２表示面２１ａ１の少なくとも一部が外部に露出する第２形態に相当する。
【００４３】
また、突起部１７が案内溝３９の案内溝３９の上溝３９ａを移動し、軸部２７が下溝３９ｂ、縦溝３９ｃおよび上溝３９ａを移動することにより、閉状態および開状態が切り替えられる。このため、突起部１７、軸部２７および案内溝３９が閉状態および開状態を切替可能な切替部に相当する。
【００４４】
図３は、携帯電話機１の全体構成を示すブロック図である。本実施の形態の携帯電話機１は、上述した各構成要素の他、ＣＰＵ１００、メモリ２００、映像エンコーダ３０１、音声エンコーダ３０２、キー入力回路３０３、通信モジュール３０４、バックライト駆動回路３０５、映像デコーダ３０６、音声デコーダ３０７、バッテリー３０９、電源部３１０およびクロック３１１を備えている。
【００４５】
カメラモジュール１４はＣＣＤ等の撮像素子を有する。カメラモジュール１４は、撮像素子から出力された撮像信号をデジタル化し、その撮像信号にガンマ補正等の各種補正を
施して映像エンコーダ３０１へ出力する。映像エンコーダ３０１は、カメラモジュール１４からの撮像信号にエンコード処理を施してＣＰＵ１００へ出力する。
【００４６】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００４７】
キー入力回路３０３は、電源キー３６やハードキー３７の各キーが押されたときに、各キーに応じた入力信号をＣＰＵ１００へ出力する。
【００４８】
通信モジュール３０４は、ＣＰＵ１００からのデータを無線信号に変換し、アンテナ３０４ａを介して基地局へ送信する。また、通信モジュール３０４は、アンテナ３０４ａを介して受信した無線信号をデータに変換してＣＰＵ１００へ出力する。
【００４９】
バックライト駆動回路３０５は、ＣＰＵ１００からの制御信号に応じた駆動信号を第１バックライト１１ｂおよび第２バックライト２１ｂに供給する。第１バックライト１１ｂは、バックライト駆動回路３０５による駆動信号により点灯し、第１液晶パネル１１ａを照明する。第２バックライト２１ｂは、バックライト駆動回路３０５による駆動信号により点灯し、第２液晶パネル２１ａを照明する。
【００５０】
映像デコーダ３０６は、ＣＰＵ１００からの画像データを第１液晶パネル１１ａおよび第２液晶パネル２１ａで表示できる映像信号に変換し、これらを液晶パネル１１ａ、２１ａに出力する。第１液晶パネル１１ａは、映像信号に応じた画像を第１表示面１１ａ１に表示する。第２液晶パネル２１ａは、映像信号に応じた画像を第２表示面２１ａ１に表示する。
【００５１】
音声デコーダ３０７は、ＣＰＵ１００からの音声信号と、着信音やアラーム音等の各種報知音の音信号とにデコード処理を施し、さらにアナログ信号に変換してスピーカ３８に出力する。スピーカ３８は、音声デコーダ３０７からの音信号や音信号を再生する。
【００５２】
バッテリー３０９は、ＣＰＵ１００やＣＰＵ１００以外の各部へ電力を供給するためのものであり、二次電池からなる。バッテリー３０９は電源部３１０に接続されている。
【００５３】
電源部３１０は、バッテリー３０９の電圧を各部に必要な大きさの電圧に変換して各部へ供給する。また、電源部３１０は、外部電源（図示せず）を介して供給された電力をバッテリー３０９へ供給して、バッテリー３０９を充電する。
【００５４】
クロック３１１は、時間を計測し、計測した時間を応じた信号をＣＰＵ１００へ出力する。
【００５５】
メモリ２００は、ＲＯＭおよびＲＡＭを含む。
【００５６】
メモリ２００には、ＣＰＵ１００に制御機能を付与するための制御プログラムが記憶されている。かかる制御プログラムには、多重起動禁止のアプリケーションが第１および第２ディスプレイ１１、２１の一方を出力先として既に実行されているとき、アプリケーションに関連する所定の入力が他方のディスプレイ１１、２１に対してなされると、アプリケーションの画面を他方のディスプレイ１１，２１に表示させる制御プログラムが含まれる。なお、アプリケーションに関連する所定の入力とは、アプリケーションを直接的または間接的に実行させ、アプリケーションを利用する操作を含む。たとえば、後述する画像
を表示するアプリケーションにおいて画像をメールで送る操作がなされると、この操作はメールのアプリケーションに関連する所定の入力となる。
【００５７】
メモリ２００には、通話、メール、ウェブブラウザ、映像表示、画像表示、アドレス帳等の各種アプリケーションが記憶されている。多重起動が禁止されているアプリケーション、たとえば、通話、映像表示、メールおよびアドレス帳のアプリケーションには、多重起動禁止の情報が付与されている。なお、通話および映像表示のアプリケーションが多重起動されることにより、複数の処理が並行して実行されると、音声データの出力が競合して、不整合が発生する。
【００５８】
メモリ２００には、音声データ、画像データおよびテキストデータなどのデータが所定のファイル形式で保存される。これらのデータとしては、カメラモジュール１４で撮影された写真のデータ、各タッチセンサ１２、２２により入力されたデータ、および通信モジュール３０４を介して外部から取り込んだデータなどが挙げられる。
【００５９】
メモリ２００には、各表示面１１ａ１、２１ａ１に表示されている画像の表示情報が記憶されている。画像には、アイコン、ボタンおよび写真などの絵と、テキスト領域に入力されたテキストとなどがある。表示情報には、各表示面１１ａ１、２１ａ１に表示されている画像の情報および、各表示面１１ａ１、２１ａ１において画像が表示されている位置が含まれる。アイコンやボタンなど処理を表わす画像の情報には、アプリケーションやファイルなどの処理対象と、開始や終了などの処理内容とが含まれる。ハイパーリンクが設定された画像の情報には、参照情報の存在位置および参照情報を表示するためのアプリケーションなどの処理対象と、処理対象のアプリケーションによって参照情報を表示するための処理内容とが含まれる。
【００６０】
ＣＰＵ１００は、キー入力回路３０３からの入力信号および各タッチセンサ１２、２２からの位置信号に基づき、制御プログラムに従って、カメラモジュール１４、マイク３５、通信モジュール３０４、液晶パネル１１ａ、２１ａ、スピーカ３８、スピーカ３８等を動作させる。これにより、ＣＰＵ１００は、通話およびメール等の各種アプリケーションを実行する。
【００６１】
ＣＰＵ１００は、実行部として、ユーザにより選択されたアプリケーションを実行する。具体的には、ＣＰＵ１００は、各タッチセンサ１２、２２からの位置信号を受け付け、位置信号が示す入力位置に表示されている画像をメモリ２００の表示情報に基づいて特定する。ＣＰＵ１００は、特定した画像の情報に従った処理対象のアプリケーションやファイルをメモリ２００から読み出して、アプリケーションを実行する。
【００６２】
たとえば、ユーザがメールのアイコンをタッチすると、ＣＰＵ１００は、メールのアプリケーションを実行させる。実行されたアプリケーションの機能によりメールの作成および送受信が可能になる。これにより、作成および送受信されるメールは後述する表示制御部によって各表示面１１ａ１、２１ａ１に表示される。
【００６３】
また、ユーザが画像データフォルダのアイコンをタッチすると、ＣＰＵ１００は、画像を表示するアプリケーションを実行させる。実行されたアプリケーションによりメモリ２００から画像データが読み出されて、画像データがサムネイル画像の形式など表示条件に合う形式に調整される。これにより、サムネイル画像の一覧が表示制御部によって各表示面１１ａ１、２１ａ１に表示される。
【００６４】
さらに、ユーザがウェブブラウザのアイコンをタッチすると、ＣＰＵ１００はウェブブラウザを実行させる。実行されたウェブブラウザにより通信モジュール３０４を介してデ
ータが受信され、受信されたデータが各表示面１１ａ１、２１ａ１に表示可能な形態に調整される。これにより、受信されたデータに基づくウェブページが表示制御部によって各表示面１１ａ１、２１ａ１に表示される。
【００６５】
なお、多重起動が許されているアプリケーションに対して複数回の実行操作が可能である。実行操作がなされる毎に、アプリケーションにより新規の処理が開始され、複数の処理が並行して実行される。複数の処理に基づく画面はそれぞれ表示制御部によって各表示面１１ａ１、２１ａ１に表示される。
【００６６】
一方、多重起動が禁止されているアプリケーションは同時に１つの処理しか実行できない。このため、既に実行されているアプリケーションをさらに実行する新たな操作がなされると、ＣＰＵ１００は、既に実行されているアプリケーションの処理内容をメモリ２００に保存した上で、そのアプリケーションを終了する。それから、ＣＰＵ１００は、新たなアプリケーションを実行し、新たな操作内容を応じた処理をアプリケーションに実行させる。
【００６７】
ＣＰＵ１００は、表示制御部として、映像デコーダ３０６およびバックライト駆動回路３０５へ制御信号を出力する。たとえば、ＣＰＵ１００は、バックライト駆動回路３０５を制御し、各バックライト１１ｂ、２１ｂを消灯する。一方、ＣＰＵ１００は、各バックライト１１ｂ、２１ｂを点灯すると共に、映像デコーダ３０６を制御し、各表示面１１ａ１、２１ａ１に画像を表示させる。なお、ＣＰＵ１００は、各表示面１１ａ１、２１ａ１に画像を表示する際のコントラスト、輝度、画面サイズ、および画面の透明度なども制御する。
【００６８】
たとえば、ＣＰＵ１００は、実行部により実行されたアプリケーションに基づく画面を表示する。また、アプリケーションに基づく画面の出力先を、ユーザの操作に応じて、第１ディスプレイ１１または第２ディスプレイ２１に設定する。たとえば、ユーザが第１表示面１１ａ１のアイコンをタッチすると、アイコンに応じたアプリケーションが実行部により実行される。実行されたアプリケーションの画面の出力先は第１ディスプレイ１１に設定され、アプリケーションの画面が第１表示面１１ａ１に表示される。また、既に実行されていた多重起動禁止のアプリケーションを新たに実行する操作がなされると、アプリケーション画面の出力先が切り替えられる。
【００６９】
図４（ａ）に示すように、メールのアプリケーションが第１表示面１１ａ１を出力先として実行されている場合、メールを作成するための画面が第１表示面１１ａ１に表示される。メール作成画面には、メールの宛先、タイトルおよび本文の欄が設けられ、これらの欄にはそれぞれテキスト領域が配置される。ユーザにより入力された情報がテキスト領域に入力されて表示される。
【００７０】
また、メモリ２００に保存された画像表示のアプリケーションが第２表示面２１ａ１を出力先として実行されている場合、メモリ２００から読み出された画像のサムネイル画像が第２表示面２１ａ１に一覧表示される。
【００７１】
さらに、図６（ｂ）に示すように、ウェブブラウザが第１表示面１１ａ１を出力先として実行されている場合、ウェブページが第１表示面１１ａ１に表示される。
【００７２】
＜第１の実施形態の処理手順＞
図４（ａ）は、第１表示面１１ａ１にメールの作成画面を表示し、第２表示面２１ａ１にサムネイル画像の一覧画面を表示した図である。図４（ｂ）は、第１表示面１１ａ１にサムネイル画像の一覧画面を表示し、第２表示面２１ａ１にメールの作成画面を表示した
図である。図５は、図４（ａ）の表示状態においてメールのアプリケーションを利用する入力が第２タッチセンサにより検出されると、図４（ｂ）に示す表示状態にする処理手順を示すフローチャートである。
【００７３】
多重起動が禁止されたアプリケーションの制御機能が設定されると、アプリケーションを制御する処理がＣＰＵ１００により実行される。この制御処理では、ユーザの操作に応じて、アプリケーションが起動され終了されると共に、アプリケーションの画面の出力先が設定される。
【００７４】
図４（ａ）に示すように、第１表示面１１ａ１を出力先としてメールのアプリケーションが実行され、メールの作成画面が第１表示面１１ａ１に表示される（Ｓ１０１）。また、第２表示面２１ａ１を出力先として画像表示アプリケーションが実行され、サムネイル画像の一覧画面が第２表示面２１ａ１に表示される（Ｓ１０２）。
【００７５】
ＣＰＵ１００は、第１表示面１１ａ１を出力先として実行されたアプリケーションの画面および第２表示面２１ａ１を出力先として実行されたアプリケーションの画面において、新たなアプリケーションを実行する操作がなされたか否かを監視する（Ｓ１０３）。
【００７６】
サムネイル画像の一覧画面には、画像Ａ〜Ｃの３つのサムネイル画像ａ〜ｃと、「送る」と示されたボタン（以下、「送るボタン」と言う。）とが表示されている。
【００７７】
ユーザが画像Ｃをメールで送付したい場合、まず、画像Ｃのサムネイル画像ｃがユーザによりタッチされる。このとき、サムネイル画像ｃの枠の線幅が太くなり、サムネイル画像ｃが強調表示される。次に、送るボタンがユーザによりタッチされると、送り先が表示される。送り先としては、メール、ウェブサイト、連絡先および壁紙設定などの項目が表示される。送り先の項目の中からメールをユーザが選択すると、メールのアプリケーションの実行操作がなされたと判断される（Ｓ１０３：ＹＥＳ）。
【００７８】
ＣＰＵ１００は、実行されたアプリケーションが多重起動禁止のアプリケーションであるか否かを判断し（Ｓ１０４）、多重起動禁止のアプリケーションであれば（Ｓ１０４：ＹＥＳ）、そのアプリケーションが既に実行されているか否かを判断する（Ｓ１０５）。ここでは、実行操作されたメールのアプリケーションには多重起動禁止の情報が付与されている（Ｓ１０４：ＹＥＳ）。また、メールのアプリケーションが第１表示面１１ａ１を出力先として既に実行されている（Ｓ１０５：ＹＥＳ）。このため、ユーザの実行操作に応じて、ＣＰＵ１００はメールのアプリケーションを実行することができない。
【００７９】
そこで、ＣＰＵ１００は、実行中の処理内容をメモリ２００に保存して、実行中のメールのアプリケーションを終了する（Ｓ１０６）。これにより、メールの宛先、タイトルおよび本文の内容が後から読み出せる状態になる。たとえば、新たに実行されたメールのアプリケーションが終了された後に、所定の操作がなされると、保存されたメールの宛先、タイトルおよび本文の内容が第１表示面１１ｃに表示される。
【００８０】
メールのアプリケーションが終了されるに伴い、画像表示アプリケーションの出力先が第２ディスプレイ２１から第１ディスプレイ１１に切り替えられ、サムネイル画像の一覧画面が第１表示面１１ａ１に表示される（Ｓ１０７）。
【００８１】
また、メールのアプリケーションが第２表示面２１ａ１を出力先として新たに実行され、実行前に画像ｃを送るという操作内容に応じた処理が実行される。これにより、第２表示面２１ａ１にメールの作成画面が表示され、メールの作成画面には画像Ｃが添付ファイルとして表示される（Ｓ１０８）。
【００８２】
なお、ユーザが実行しようとしているアプリケーションが、多重起動可能なアプリケーションである場合（Ｓ１０４：ＮＯ）、および、多重起動が禁止されたアプリケーションであっても、既に実行されていない場合（Ｓ１０５：ＮＯ）には、ユーザの操作に応じてアプリケーションがさらに実行され、実行されたアプリケーションの画面が各表示面１１ａ１、２１ａ１に表示される（Ｓ１０８）。
【００８３】
以上、本実施形態によれば、多重起動が禁止されたメールのアプリケーションが第１表示面１１ａ１を出力先として既に実行されていても、第２表示面２１ａ１においてメールのアプリケーションを実行する操作をユーザがすると、第２表示面２１ａ１を出力先としてメールのアプリケーションが実行される。これにより、ユーザは、既に実行されているアプリケーションを終了した上で、再度アプリケーションを実行する必要がなく、操作性に優れる。
【００８４】
また、本実施形態によれば、ユーザは第２表示面２１ａ１の画像の一覧画面において画像をメールで送付するボタンを選択すると、操作していた第２表示面２１ａ１にメールの作成画面が表示される。即ち、操作していた表示面に、その操作に基づくアプリケーションの画面が表示される。このため、ユーザは、操作している表示面を変更することなく、同じ表示面において引き続き操作し続けることができ、利便性に優れる。
【００８５】
さらに、本実施形態によれば、第２表示面２１ａ１に表示されたメールの作成画面には、画像３が添付ファイルとして表示される。このように、第２表示面２１ａ１を出力先としてメールのアプリケーションが実行される前になされた操作内容が、実行されたメールのアプリケーションに反映されており、利便性に優れる。
【００８６】
＜第２の実施形態＞
第１の実施形態では、第１表示面１１ａ１を出力先とするアプリケーションは１つだけであった。これに対し、第２の実施形態では、第１表示面１１ａ１を出力先として複数のアプリケーションが実行される。
【００８７】
図６（ａ）は、第１表示面１１ａ１にメールの作成画面を表示し、第２表示面２１ａ１に画像の一覧画面を表示した図である。図６（ｂ）は、第１表示面１１ａ１にウェブページを表示し、第２表示面２１ａ１にメールの作成画面を表示した図である。
【００８８】
本実施形態のように、１つの表示面を出力先として複数のアプリケーションが実行され得る。この場合、複数のアプリケーションに基づく画面のうちの１つの画面が１つの表示面１１ａ１、２１ａ１に表示される。
【００８９】
＜第２の実施形態の処理手順＞
図７は、図６（ａ）に示す表示状態においてメールのアプリケーションを利用する操作が第２タッチセンサ２２により検出されると、図６（ｂ）に示す表示状態にする処理手順を示すフローチャートである。
【００９０】
図６（ａ）に示すように、第１表示面１１ａ１を出力先として、メールのアプリケーションがフォアグラウンドで実行され、ウェブブラウザがバックグラウンドで実行されて、メールのアプリケーションの画面が第１表示面１１ａ１に表示される（Ｓ２０１）。なお、ウェブブラウザにより開かれるウェブページは表示されない。
【００９１】
また、第２表示面２１ａ１を出力先として画像表示アプリケーションが実行され、サムネイル画像の一覧画面が第２表示面２１ａ１に表示される（Ｓ２０２）。
【００９２】
第２表示面２１ａ１においてサムネイル画像ｃおよび送るボタンがタッチされると、送り先の項目が表示される。送り先の項目からメールが選択されることにより、第２表示面２１ａ１を出力先としてメールのアプリケーションの実行操作がなされる（Ｓ２０３：ＹＥＳ）。
【００９３】
メールのアプリケーションは、多重起動が禁止され（Ｓ２０４：ＹＥＳ）、第１表示面１１ａ１を出力先として既に実行されている（Ｓ２０５：ＹＥＳ）。このため、実行中の処理内容がメモリ２００に保存されてから、実行中のアプリケーションが終了される（Ｓ２０６）。
【００９４】
図６（ｂ）に示すように、メールのアプリケーションが終了するに伴い、第１表示面１１ａ１を出力先としてバックグラウンドで既に実行されているウェブブラウザによるウェブページが第１表示面１１ａ１に表示される（Ｓ２０７）。
【００９５】
また、実行操作されたメールのアプリケーションが第２表示面２１ａ１を出力先として新たに実行され、第２表示面２１ａ１にメールの作成画面が表示され、メールの作成画面には画像Ｃが予め添付ファイルとして表示されている（Ｓ２０８）。
【００９６】
以上、本実施形態によれば、第１実施形態と同様に、多重起動が禁止されたアプリケーションが既に実行されていても、別の表示面においてアプリケーションを実行する操作がなされると、操作された表示面を出力先としてアプリケーションが実行されるため、操作性に優れる。また、実行操作した表示面において引き続き操作し続けることができ、利便性に優れる。さらに、アプリケーションが新たに実行される前の操作内容が新たに実行されたアプリケーションに反映されており、利便性に優れる。
【００９７】
また、本実施形態によれば、メールのアプリケーションが終了すると、メールの作成画面に代えてウェブページが第１表示面１１ａ１に表示される。このように、第１表示面１１ａ１を出力先とする複数のアプリケーションが実行されている場合、１つのアプリケーションが終了すると、別のアプリケーションの画面が第１表示面１１ａ１に表示される。このため、別のアプリケーションを画面に表示するための操作が必要なく、利便性に優れる。
【００９８】
＜第３の実施形態＞
第３実施形態では、第２の実施形態と同様に、第１表示面１１ａ１を出力先として複数のアプリケーションが実行されている。ただし、第２実施形態ではメールのアプリケーション画面が第１表示面１１ａ１に表示されていたのに対し、第３実施形態ではメールのアプリケーション以外のアプリケーションの画面が第１表示面１１ａ１に表示されている。
【００９９】
図８（ａ）は、第１表示面１１ａ１にウェブページを表示し、第２表示面２１ａ１に画像の一覧画面を表示した図である。図８（ｂ）は、第１表示面１１ａ１にウェブページを表示し、第２表示面２１ａ１にメールの作成画面を表示した図である。図９は、図８（ａ）に示す表示状態においてメールのアプリケーションを利用する操作が第２タッチセンサ２２により検出されると、図８（ｂ）に示す表示状態にする処理手順を示すフローチャートである。
【０１００】
第１ディスプレイ１１を出力先として、ウェブブラウザがフォアグラウンドで実行され、メールのアプリケーションがバックグラウンドで実行され、ウェブブラウザにより開かれるウェブページが第１表示面１１ａ１に表示されている（Ｓ３０１）。また、第２ディスプレイ２１を出力先として、画像を表示するアプリケーションが実行され、サムネイル
画像の一覧画面が第２表示面２１ａ１に表示されている（Ｓ３０２）。
【０１０１】
第２表示面２１ａ１において画像をメールで送付する操作がなされると（Ｓ３０３：ＹＥＳ）、第１表示面１１ａ１を出力先として実行中の処理内容が保存された上、メールのアプリケーションは終了される（Ｓ３０４：ＹＥＳ、Ｓ３０５：ＹＥＳ、Ｓ３０６）。メールのアプリケーションは終了されても、第１表示面１１ａ１には予めウェブページが表示されているため、ウェブページがそのまま表示される（Ｓ３０７）。そして、メールのアプリケーションが新たに実行され、メールの作成画面が第２表示面２１ａ１に表示される（Ｓ３０８）。
【０１０２】
以上、本実施形態によれば、第１実施形態と同様に、多重起動が禁止されたアプリケーションが既に実行されていても、別の表示面においてアプリケーションを実行する操作がなされると、操作された表示面を出力先としてアプリケーションが実行されるため、操作性に優れる。また、実行操作した表示面において引き続き操作し続けることができ、利便性に優れる。さらに、アプリケーションが新たに実行される前の操作内容が新たに実行されたアプリケーションに反映されており、利便性に優れる。
【０１０３】
＜その他の実施形態＞
以上、本発明の実施の形態について説明したが、本発明は、上記実施の形態によって何ら制限されるものではなく、また、本発明の実施の形態も、上記以外に種々の変更が可能である。
【０１０４】
たとえば、上記実施形態では、第２表示面２１ａ１を出力先としてメールのアプリケーションを実行する操作がユーザによりなされると、図４（ｂ）、図６（ｂ）および図８（ｂ）に示すように、第２表示面２１ａ１のみにメールの作成画面が表示された。これに対して、図１０に示すように、第２表示面２１ａ１だけでなく第１表示面１１ａ１も合わせた両表示面１１ａ１、２１ａ１の全体にメールの作成画面が表示されてもよい。これにより、ユーザの意図に応じた操作画面が表示されると共に、操作画面が広い範囲に表示されるため、操作し易い。
【０１０５】
また、上記実施形態では、第２表示面２１ａ１においてメールのアプリケーションを実行する操作がなされると、第１表示面１１ａ１を出力先として既に実行していたメールのアプリケーションの操作内容が保存され、アプリケーションが一度終了した。そして、メールのアプリケーションが再度実行され、図４（ｂ）、図６（ｂ）および図８（ｂ）に示すように、第２表示面２１ａ１にメールの作成画面が表示された。これに対して、第２表示面２１ａ１においてメールのアプリケーションを実行する操作がなされると、既に実行していたメールのアプリケーションの操作内容が保存される。そして、アプリケーションが終了せずに、アプリケーションの画面の出力先が第１表示面１１ａ１から第２表示面２１ａ１に切り替えられ、メールの作成画面が第２表示面２１ａ１に表示されてもよい。
【０１０６】
また、上記実施形態では、第１表示面１１ａ１においてアプリケーションを実行する操作がなされると、アプリケーションの画面の出力先は第１ディスプレイ１１に設定され、アプリケーションの画面が第１表示面１１ａ１に表示された。これに対して、各表示面１１ａ１、２１ａ１に画面の出力先を選択する画像が表示されるようにし、ユーザが画像を選択することにより、画面の出力先が設定されるようにしても良い。これにより、第１表示面１１ａ１に画面を表示するように、第２表示面２１ａ１においてアプリケーションを実行する操作も可能である。
【０１０７】
さらに、上記実施形態では、携帯電話機１を用いたが、ＰＤＡや携帯ゲーム機などの携帯端末装置を用いることもできる。
【０１０８】
この他、本発明の実施の形態は、特許請求の範囲に示された技術的思想の範囲内において、適宜、種々の変更が可能である。たとえば、上記実施形態の一部または全部を組み合わせることができる。
【符号の説明】
【０１０９】
１  携帯電話機
１１  第１ディスプレイ
１２  第１タッチセンサ
２１  第２ディスプレイ
２２  第２タッチセンサ
１００  ＣＰＵ
【図１】
0005467064.tif 000002
【図２】
0005467064.tif 000003
【図３】
0005467064.tif 000004
【図４】
0005467064.tif 000005
【図５】
0005467064.tif 000006
【図６】
0005467064.tif 000007
【図７】
0005467064.tif 000008
【図８】
0005467064.tif 000009
【図９】
0005467064.tif 000010
【図１０】
0005467064.tif 000011